(57)【要約】本明細書の実施形態の第１の態様によれば、セルラ及びＤ２Ｄ混在ネットワークにおいてランダムアクセスチャネル（ＲＡＣＨ）手順を処理するための、基地局における方法によって目的が達成される。基地局は、ＲＡＣＨがＤ２Ｄ通信に関連することの指標を、ＲＡＣＨメッセージで第１のユーザ装置から受信する（302）。基地局は、その後、当該指標に基づいて、第１のユーザ装置に対してＤ２Ｄリンクをスケジューリングする（303）。【選択図】図３
2016504861.tif 000002
【特許請求の範囲】
【請求項１】
セルラ及びＤ２Ｄ混在ネットワーク（100）においてランダムアクセスチャネル（ＲＡＣＨ）手順を処理するための、基地局（110）における方法であって、
前記ＲＡＣＨがＤ２Ｄ通信に関連することの指標を、ＲＡＣＨメッセージで第１のユーザ装置（121）から受信するステップ（202,302）と、
前記指標に基づいて、前記第１のユーザ装置（121）に対してＤ２Ｄリンクをスケジューリングするステップ（203,303）と、
を含むことを特徴とする方法。
【請求項２】
前記ＲＡＣＨメッセージは、ＲＡＣＨプリアンブル又はリソース要求である、
ことを特徴とする請求項１に記載の方法。
【請求項３】
前記指標は、特定のＤ２Ｄ無線ネットワーク一時識別子（ＲＮＴＩ）であり、当該特定のＤ２Ｄ  ＲＮＴＩは、前記Ｄ２Ｄリンクにおける送信及び受信に共通である、
ことを特徴とする請求項１又は２に記載の方法。
【請求項４】
前記Ｄ２Ｄリンクは、前記第１のユーザ装置（121）と第２のユーザ装置（122）との間のＤ２Ｄ通信のためのものであり、
前記方法は、前記特定のＤ２Ｄ  ＲＮＴＩに関連付けられた前記スケジューリングされたＤ２Ｄリンクを含む情報を送信するステップ（204,304）を更に含む、
ことを特徴とする請求項３に記載の方法。
【請求項５】
前記指標は、Ｄ２Ｄ通信に関連するＲＡＣＨプリアンブルのグループに含まれるＲＡＣＨプリアンブルである、
ことを特徴とする請求項１から４のいずれか１項に記載の方法。
【請求項６】
前記指標は、ＲＡＣＨリソースのフレーム内における、Ｄ２Ｄ通信に関連する特定の時間及び／又は周波数位置で受信されるＲＡＣＨプリアンブルである、
ことを特徴とする請求項１から４のいずれか１項に記載の方法。
【請求項７】
前記基地局によってサービスが行われる、前記第１のユーザ装置（121）を含む複数のユーザ装置へ情報を送信するステップ（201,301）を更に含み、当該情報は、Ｄ２Ｄ通信に使用されるＲＡＣＨプリアンブルとセルラ通信に使用されるＲＡＣＨプリアンブルとが、
‐Ｄ２Ｄ通信に関連するＲＡＣＨプリアンブルのグループと、セルラ通信に関連するＲＡＣＨプリアンブルのグループという、異なるグループに分割されている、又は
‐Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている、
との情報を含む、
ことを特徴とする請求項５又は６に記載の方法。
【請求項８】
前記指標は、Ｄ２Ｄ通信に関連するフォーマットを含むバッファ状態報告（ＢＳＲ）である、
ことを特徴とする請求項１から４のいずれか１項に記載の方法。
【請求項９】
情報を送信する前記ステップ（204,304）は、任意の物理下りリンク制御チャネル（ＰＤＣＣＨ）メッセージを前記第１のユーザ装置（121）へ送信するステップを更に含み、当該ＰＤＣＣＨメッセージは、前記第１のユーザ装置（121）の無線ネットワーク一時識別子（ＲＮＴＩ）に宛てられている場合、前記第１のユーザ装置（121）内のアクティブ時間解決タイマーを停止させるための、前記第１のユーザ装置（121）への指標として解釈される、
ことを特徴とする請求項１から８のいずれか１項に記載の方法。
【請求項１０】
セルラ及びＤ２Ｄ混在ネットワーク（100）においてランダムアクセスチャネル（ＲＡＣＨ）手順を処理するための、第１のユーザ装置（121）における方法であって、
前記ＲＡＣＨがＤ２Ｄ通信に関連することの指標を、ＲＡＣＨメッセージで、前記セルラ及びＤ２Ｄ混在ネットワーク内の基地局（110）へ送信するステップ（202,302）と、
前記指標に基づいて前記第１のユーザ装置（121）に対してスケジューリングされたＤ２Ｄリンクについての情報を、前記基地局（110）から受信するステップ（204,603）と、
を含むことを特徴とする方法。
【請求項１１】
前記ＲＡＣＨメッセージは、ＲＡＣＨプリアンブル又はリソース要求である、
ことを特徴とする請求項１０に記載の方法。
【請求項１２】
前記指標は、特定のＤ２Ｄ無線ネットワーク一時識別子（ＲＮＴＩ）であり、当該特定のＤ２Ｄ  ＲＮＴＩは、前記Ｄ２Ｄリンクにおける送信及び受信に共通である、
ことを特徴とする請求項１０又は１１に記載の方法。
【請求項１３】
前記Ｄ２Ｄリンクは、前記第１のユーザ装置（121）と第２のユーザ装置（122）との間のＤ２Ｄ通信のためのものであり、
前記基地局（110）からの前記スケジューリングされたＤ２Ｄリンクについての前記情報は、前記特定のＤ２Ｄ  ＲＮＴＩに関連付けられた前記Ｄ２Ｄリンクを含む、
ことを特徴とする請求項１２に記載の方法。
【請求項１４】
前記指標は、Ｄ２Ｄ通信に関連するＲＡＣＨプリアンブルのグループに含まれるＲＡＣＨプリアンブルである、
ことを特徴とする請求項１０から１３のいずれか１項に記載の方法。
【請求項１５】
前記指標は、ＲＡＣＨリソースのフレーム内における、Ｄ２Ｄ通信に関連する特定の時間及び／又は周波数位置で送信されるＲＡＣＨプリアンブルである、
ことを特徴とする請求項１０から１３のいずれか１項に記載の方法。
【請求項１６】
前記基地局（110）から情報を受信するステップ（201,301）を更に含み、当該情報は、Ｄ２Ｄ通信に使用されるＲＡＣＨプリアンブルとセルラ通信に使用されるＲＡＣＨプリアンブルとが、
‐Ｄ２Ｄ通信に関連するＲＡＣＨプリアンブルのグループと、セルラ通信に関連するＲＡＣＨプリアンブルのグループという、異なるグループに分割されている、又は
‐Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている、
との情報を含む、
ことを特徴とする請求項１４又は１５に記載の方法。
【請求項１７】
前記指標は、Ｄ２Ｄ通信に関連するフォーマットを含むバッファ状態報告（ＢＳＲ）である、
ことを特徴とする請求項１０から１３のいずれか１項に記載の方法。
【請求項１８】
情報を受信する前記ステップ（204,304）は、任意の物理下りリンク制御チャネル（ＰＤＣＣＨ）メッセージを前記基地局（110）から受信するステップを更に含み、当該ＰＤＣＣＨメッセージは、前記第１のユーザ装置（121）の無線ネットワーク一時識別子（ＲＮＴＩ）に宛てられている場合、前記第１のユーザ装置（121）内のアクティブ時間解決タイマーを停止させるための、前記第１のユーザ装置（121）への指標として解釈される、
ことを特徴とする請求項１０から１７のいずれか１項に記載の方法。
【請求項１９】
セルラ及びＤ２Ｄ混在ネットワーク（100）においてランダムアクセスチャネル（ＲＡＣＨ）手順を処理するための基地局（110）であって、
前記ＲＡＣＨがＤ２Ｄ通信に関連することの指標を、ＲＡＣＨメッセージで第１のユーザ装置（121）から受信する受信ユニット（510）と、
前記指標に基づいて、前記第１のユーザ装置（121）に対してＤ２Ｄリンクをスケジューリングするスケジューラ（520）と、
を備えることを特徴とする基地局。
【請求項２０】
前記ＲＡＣＨメッセージは、ＲＡＣＨプリアンブル又はリソース要求である、
ことを特徴とする請求項１９に記載の基地局。
【請求項２１】
前記指標は、特定のＤ２Ｄ無線ネットワーク一時識別子（ＲＮＴＩ）であり、当該特定のＤ２Ｄ  ＲＮＴＩは、前記Ｄ２Ｄリンクにおける送信及び受信に共通である、
ことを特徴とする請求項１９又は２０に記載の基地局。
【請求項２２】
前記Ｄ２Ｄリンクは、前記第１のユーザ装置（121）と第２のユーザ装置（122）との間のＤ２Ｄ通信のためのものであり、
前記基地局（110）は、前記特定のＤ２Ｄ  ＲＮＴＩに関連付けられた前記スケジューリングされたＤ２Ｄリンクを含む情報を送信する送信ユニット（530）を更に備える、
ことを特徴とする請求項２１に記載の基地局。
【請求項２３】
前記指標は、Ｄ２Ｄ通信に関連するＲＡＣＨプリアンブルのグループに含まれるＲＡＣＨプリアンブルである、
ことを特徴とする請求項１９から２２のいずれか１項に記載の基地局。
【請求項２４】
前記指標は、ＲＡＣＨリソースのフレーム内における、Ｄ２Ｄ通信に関連する特定の時間及び／又は周波数位置で受信されるＲＡＣＨプリアンブルである、
ことを特徴とする請求項１９から２２のいずれか１項に記載の基地局。
【請求項２５】
前記送信ユニット（530）は、更に、前記基地局によってサービスが行われる、前記第１のユーザ装置（121）を含む複数のユーザ装置へ情報を送信し、当該情報は、Ｄ２Ｄ通信に使用されるＲＡＣＨプリアンブルとセルラ通信に使用されるＲＡＣＨプリアンブルとが、
‐Ｄ２Ｄ通信に関連するＲＡＣＨプリアンブルのグループと、セルラ通信に関連するＲＡＣＨプリアンブルのグループという、異なるグループに分割されている、又は
‐Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている、
との情報を含む、
ことを特徴とする請求項２３又は２４に記載の基地局。
【請求項２６】
前記指標は、Ｄ２Ｄ通信に関連するフォーマットを含むバッファ状態報告（ＢＳＲ）である、
ことを特徴とする請求項１９から２２のいずれか１項に記載の基地局。
【請求項２７】
前記送信ユニット（530）は、更に、任意の物理下りリンク制御チャネル（ＰＤＣＣＨ）メッセージを前記第１のユーザ装置（121）へ送信し、当該ＰＤＣＣＨメッセージは、前記第１のユーザ装置（121）の無線ネットワーク一時識別子（ＲＮＴＩ）に宛てられている場合、前記第１のユーザ装置（121）内のアクティブ時間解決タイマーを停止させるための、前記第１のユーザ装置（121）への指標として解釈される、
ことを特徴とする請求項１９から２６のいずれか１項に記載の基地局。
【請求項２８】
セルラ及びＤ２Ｄ混在ネットワーク（100）においてランダムアクセスチャネル（ＲＡＣＨ）手順を処理するための第１のユーザ装置（121）あって、
前記ＲＡＣＨがＤ２Ｄ通信に関連することの指標を、ＲＡＣＨメッセージで、前記セルラ及びＤ２Ｄ混在ネットワーク内の基地局（110）へ送信する送信ユニット（710）と、
前記指標に基づいて前記第１のユーザ装置（121）に対してスケジューリングされたＤ２Ｄリンクについての情報を、前記基地局（110）から受信する受信ユニット（720）と、
を備えることを特徴とする第１のユーザ装置。
【請求項２９】
前記ＲＡＣＨメッセージは、ＲＡＣＨプリアンブル又はリソース要求である、
ことを特徴とする請求項２８に記載の第１のユーザ装置。
【請求項３０】
前記指標は、特定のＤ２Ｄ無線ネットワーク一時識別子（ＲＮＴＩ）であり、当該特定のＤ２Ｄ  ＲＮＴＩは、前記Ｄ２Ｄリンクにおける送信及び受信に共通である、
ことを特徴とする請求項２８又は２９に記載の第１のユーザ装置。
【請求項３１】
前記Ｄ２Ｄリンクは、前記第１のユーザ装置（121）と第２のユーザ装置（122）との間のＤ２Ｄ通信のためのものであり、
前記基地局（110）からの前記スケジューリングされたＤ２Ｄリンクについての前記情報は、前記特定のＤ２Ｄ  ＲＮＴＩに関連付けられた前記Ｄ２Ｄリンクを含む、
ことを特徴とする請求項３０に記載の第１のユーザ装置。
【請求項３２】
前記指標は、Ｄ２Ｄ通信に関連するＲＡＣＨプリアンブルのグループに含まれるＲＡＣＨプリアンブルである、
ことを特徴とする請求項２８から３１のいずれか１項に記載の第１のユーザ装置。
【請求項３３】
前記指標は、ＲＡＣＨリソースのフレーム内における、Ｄ２Ｄ通信に関連する特定の時間及び／又は周波数位置で送信されるＲＡＣＨプリアンブルである、
ことを特徴とする請求項２８から３１のいずれか１項に記載の第１のユーザ装置。
【請求項３４】
前記受信ユニット（720）は、更に、前記基地局（110）から情報を受信し、当該情報は、Ｄ２Ｄ通信に使用されるＲＡＣＨプリアンブルとセルラ通信に使用されるＲＡＣＨプリアンブルとが、
‐Ｄ２Ｄ通信に関連するＲＡＣＨプリアンブルのグループと、セルラ通信に関連するＲＡＣＨプリアンブルのグループという、異なるグループに分割されている、又は
‐Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている、
との情報を含む、
ことを特徴とする請求項３２又は３３に記載の第１のユーザ装置。
【請求項３５】
前記指標は、Ｄ２Ｄ通信に関連するフォーマットを含むバッファ状態報告（ＢＳＲ）である、
ことを特徴とする請求項２８から３１のいずれか１項に記載の第１のユーザ装置。
【請求項３６】
前記受信ユニット（720）は、更に、任意の物理下りリンク制御チャネル（ＰＤＣＣＨ）メッセージを前記基地局（110）から受信し、当該ＰＤＣＣＨメッセージは、前記第１のユーザ装置（121）の無線ネットワーク一時識別子（ＲＮＴＩ）に宛てられている場合、前記第１のユーザ装置（121）内のアクティブ時間解決タイマーを停止させるための、前記第１のユーザ装置（121）への指標として解釈される、
ことを特徴とする請求項２８から３５のいずれか１項に記載の第１のユーザ装置。
【発明の詳細な説明】
【技術分野】
【０００１】
本明細書の実施形態は、基地局、ユーザ装置及びそれらの方法に関するものである。特に、セルラ及びデバイス・ツー・デバイス（Ｄ２Ｄ：Device to Device）混在ネットワークにおけるランダムアクセスチャネル（ＲＡＣＨ：Random Access Channel）手順の処理に関するものである。
【背景技術】
【０００２】
端末等の通信デバイスは、例えば、ユーザ装置（ＵＥ）、移動端末、無線端末、及び／又は移動局としても知られている。端末は、セルラ無線システム又はセルラネットワークとも称されることもあるセルラ通信ネットワーク又は無線通信ネットワークにおいて無線での通信が可能となっている。当該通信は、例えば、セルラ通信ネットワーク内に含まれる、２つの端末間で、端末と通常の電話との間で、及び／又は、無線アクセスネットワーク（ＲＡＮ）及び場合によっては１つ以上のコアネットワークを介して端末とサーバとの間で行われうる。
【０００３】
いくつかの別の例に言及すると、端末は更に、無線機能を有する、携帯電話、セルラ電話、ラップトップ、又はサーフプレート（surf plate）とも称されうる。本コンテキストにおける端末は、例えば、ＲＡＮを介して音声及び／又はデータを他の端末又はサーバ等の他のエンティティと通信可能な、ポータブル型、ポケット収納型、ハンドヘルド型、コンピュータ内蔵型又は車載型の携帯デバイスであってもよい。
【０００４】
セルラ通信ネットワークは、複数のセルエリアに分割された地理的エリアをカバーし、各セルエリアは、基地局（例えば、使用される技術及び用語に依存して、「ｅＮＢ」、「ｅＮｏｄｅＢ」、「ＮｏｄｅＢ」、「Ｂ ｎｏｄｅ」、基地局（ＢＴＳ）、又はＡＰ（アクセスポイント）等と称されることもある、無線基地局（ＲＢＳ））によってサービスが行われる。基地局は、送信電力及びそれによるセルサイズにも基づいて、例えば、マクロｅＮｏｄｅＢ、ホームｅＮｏｄｅＢ、又はピコ基地局等の、異なるクラスの基地局であってもよい。セルは、基地局サイトにある基地局によって無線カバレッジが提供される地理的エリアである。基地局サイトに位置している１つの基地局は、１つ又は複数のセルにサービスを行いうる。更に、各基地局は、１つ又は複数の通信技術をサポートしうる。基地局は、無線周波数で動作する無線インタフェースを介して、当該基地局のレンジ内の端末と通信する。本開示との関連では、下りリンク（ＤＬ）との表現は、基地局から移動局への伝送パスに対して使用される。上りリンク（ＵＬ）との表現は、逆方向の（即ち、移動局から基地局への）伝送パスに対して使用される。
【０００５】
第３世代パートナシップ・プロジェクト（３ＧＰＰ）のロング・ターム・エボリューション（ＬＴＥ）では、ｅＮｏｄｅＢまたはｅＮＢとも称されうる基地局は、１つ以上のコアネットワークと直接に接続されうる。
【０００６】
ＵＭＴＳは、ＧＳＭ（登録商標）から発展した第３世代移動通信システムであり、広帯域符号分割多重アクセス（ＷＣＤＭＡ（登録商標））アクセス技術に基づいて、改善された移動通信サービスを提供することが意図されている。ＵＴＭＳ地上無線アクセスネットワーク（ＵＴＲＡＮ）は、本質的には、端末用の広帯域符号分割多重アクセスを使用した無線アクセスネットワークである。３ＧＰＰは、ＵＴＲＡＮ及びＧＳＭベースの無線アクセスネットワーク技術を更に発展させることに取り組んでいる。
【０００７】
３ＧＰＰ  ＬＴＥ無線アクセス標準規格は、上りリンクのトラフィック及び下りリンクのトラフィックの両方に対して高ビットレート及び低遅延をサポートするために記述されている。ＬＴＥでは、全てのデータ伝送が無線基地局によって制御される。
【０００８】
＜Ｄ２Ｄ通信＞
３ＧＰＰのロングタームエボリューション（ＬＴＥ）の近年の発展は、ホーム環境、オフィス環境、公共のホットスポット環境、又は更には屋外環境におけるローカルＩＰベースのサービスへのアクセスを容易にしている。ローカルＩＰアクセス及びローカル接続性についての重要な使用例の１つには、（典型的には、数十メートル未満であるが最大で数百メートルになることもある）互いに近接した、ユーザ装置等の無線デバイス間の直接通信が含まれる。
【０００９】
この直接モード又はＤ２Ｄは、基地局等のセルラアクセスポイントを介して２つのデバイスが通信する従来のセルラ技術に対して、多くの潜在的な利得を与える。これは、Ｄ２Ｄデバイスが、セルラアクセスポイントを介して通信しなければならないセルラデバイスと比較して、互いに非常に近接していることが多いためである。
【００１０】
１つの利得は、再利用利得及びホップ利得を含みうるキャパシティ利得である。再利用利得については、Ｄ２Ｄ通信は、直交周波数分割多重（ＯＦＤＭ）リソースブロックの再利用利得等の、無線リソースの再利用を提供しうる。ホップ利得については、Ｄ２Ｄ通信は、セルラアクセスポイントを介する２ホップとは対照的に、送信機ポイントと受信機ポイントとの間で単一ホップを提供するＤ２Ｄリンクを提供する。
【００１１】
他の利得は、最大達成可能レート利得であり、これは、近接利得を含みうる。Ｄ２Ｄ通信は、更に、近接度及び潜在的に好ましい伝搬に起因した、高ピークレートを提供しうる。
【００１２】
更なる利得は、遅延利得である。ＵＥがＤ２Ｄリンクを介して通信する場合、基地局転送はショートカットされ、エンド・ツー・エンド遅延が減少しうる。
【００１３】
＜セルラネットワークにおけるランダムアクセス手順＞
ＭＳＧ１．送信すべき新たなデータを有し、それ故にリソースを必要とするユーザ装置は、基地局へ第１のメッセージを送信する。当該第１のメッセージは、ＭＳＧ１、プリアンブル、又はランダムアクセスチャネル（ＲＡＣＨ）プリアンブルとも称されうる。ＭＳＧは、ＭｅＳｓａＧｅの略語である。第１のメッセージにおいて、ユーザ装置は、当該装置のリソース要求について、ネットワークへ指標（indication）を提供する。第１のメッセージは、プリアンブル識別子（ＩＤ）を含む。ユーザ装置は、当該プリアンブルの送信後、基地局が当該プリアンブルを受け取ったかどうかを確認するために、ＲＡ−ＲＮＴＩに関連付けられたランダムアクセス応答（ＲＡＲ：Random Access Response）を待つ。ＲＡ−ＲＮＴＩは、ユーザ装置が＋１で送信したサブフレーム番号を含む。
【００１４】
ＭＳＧ２．基地局は、プリアンブルを受け取った場合、ＭＳＧ２又はＲＡＲとも称される第２のメッセージをユーザ装置へ送信することによって当該プリアンブルに応答する。当該第２のメッセージは、タイミング・アドバンス（ＴＡ：Timing Advanced）、プリアンブルＩＤ、及び一時セル無線ネットワーク一時識別子（ＴＣ−ＲＮＴＩ：Temporary Cell Radio Network Temporary Identifier）についての情報を含む。ＴＣ−ＲＮＴＩは、セル内のユーザ装置の識別子として使用される、基地局によって生成される番号である。
【００１５】
ＭＳＧ３．ユーザ装置は、適切なＲＡＲを検出した場合、特定のプリアンブル識別子が含まれているかどうかを確認しようとする。含まれている場合、ユーザ装置は、肯定的な確認応答を基地局から受信したとみなし、基地局へのその後のシグナリングにＴＣ−ＲＮＴＩを使用する。ユーザ装置は、肯定的な確認応答を基地局から受信したとみなした場合、ＲＲＣ接続要求（必ずしも含まれているとは限らず、例えば、ユーザ装置がＲＲＣ接続モードである場合、ユーザ装置は、単にＲＡＣＨを使用してリソースグラントを要求する。）と、バッファ状態報告（ＢＳＲ：Buffer Status Report）制御エレメント（ＣＥ）とを、基地局によって与えられるリソースを使用するＭＳＧ３とも称される第３のメッセージで送信する。バッファ状態報告（ＢＳＲ）制御エレメント（ＣＥ）は、送信すべき新たなデータの量を示す。ユーザ装置は、更に、競合を解決するために（即ち、他のユーザ装置が同一のＲＡＣＨを使用する場合に）使用される、一時モバイル加入者識別子（ＴＭＳＩ：Temporary Mobile Subscriber Identity）等の識別子を、基地局へ送信する。なお、ＲＡ−ＲＮＴＩは、ユーザ装置のプリアンブル送信から判定され、一時Ｃ−ＲＮＴＩは、基地局によって割り当てられる。
【００１６】
ＭＳＧ４．基地局は、ユーザ装置のＣ−ＲＮＴＩに宛てられた、物理下りリンク制御チャネル（ＰＤＣＣＨ） ＵＬグラント又はＤＬ割り当てを、ＭＳＧ４とも称される第４のメッセージでユーザ装置へ送信する。本ステップでは、Ｃ−ＲＮＴＩを受信したユーザ装置は、ＲＲＣ接続の確立を継続する。しかし、ＲＡＣＨは、ＲＲＣ接続されたユーザ装置のためにも使用されうる。他のユーザ装置が同一のＲＡＣＨを使用していた場合、それらはプリアンブルの送信を再び試みる。
【００１７】
現在のＬＴＥプロトコルによれば、セルラユーザ装置用の従来のＲＡＣＨ手順では、ユーザ装置は、ＭＳＧ２の受信のための、応答ウィンドウサイズ（ResponseWindowSize）とも称されるウィンドウと、ＭＳＧ４の受信のための、メディアアクセス制御（ＭＡＣ）‐競合解決タイマー（Medium Access Control (MAC)-ContentionResolutionTimer）とも称されるタイマーと、を維持する。当該ウィンドウの取りうる値は、２サブフレームから１０サブフレームであり、当該タイマーの値は、８サブフレームから６４サブフレームである。当該ウィンドウがアクティブである場合、ユーザ装置は、ＤＬにおける可能性のあるＭＳＧ２について物理下りリンク制御チャネル（ＰＤＣＣＨ）のモニタリングし続ける必要があるだろう。当該タイマーがアクティブである場合、ユーザ装置は、ＤＬにおける可能性のあるＭＳＧ４についてＰＤＣＣＨをモニタリングし続ける必要があるだろう。当該ウィンドウ又はタイマーの範囲内でグラントが受信されない場合、このＲＡＣＨ試行は失敗する。
【００１８】
セルラ及びＤ２Ｄ混在ネットワークでは、アドレス指定されたＲＡＣＨ手順は、ユーザ装置における新たなデータ（即ち、基地局へ送信するためのＵＬデータ、又は相手先へ送信するためのＤ２Ｄデータ）によってトリガされるように限定され、その場合、ユーザ装置は、非同期であるがＲＲＣ接続され続けている。ここで、非同期（out-of-sync）とは、基地局へのＵＬ同期が失われていることを意味する。現在のＲＡＣＨ手順では、基地局は、ＵＬ  ＭＳＧ３におけるＣ−ＲＮＴＩ及びＢＳＲ  ＣＥの受信によって、ＲＡＣＨ手順を実行し、かつ、ＵＬで送信すべきデータを有するユーザ装置の識別子を知ることになる。その後、基地局は、ＵＬデータ送信のために物理上りリンク共有チャネル（ＰＵＳＣＨ）上でユーザ装置をスケジューリングし、それにより、ユーザ装置がそのＣ−ＲＮＴＩに宛てられたＰＤＣＣＨ  ＵＬグラント（即ち、ＭＳＧ４）を受信した場合、ＲＡＣＨ手順は、成功したものとみなされ、競合解決タイマー（ContentionResolutionTimer）が停止される。しかし、Ｄ２ＤデータによってトリガされるＲＡＣＨの場合、Ｃ−ＲＮＴＩ及びＧＳＲをＭＳＧ３で受信する基地局には、それがセルラデータに起因しているのかＤ２Ｄデータに起因しているかが分からず、たとえ、ユーザ装置が実際に望んでいるものがＤ２Ｄリンクのスケジューリングであっても、セルラＵＬリンクにおいてユーザ装置をスケジューリングし続ける。
【発明の概要】
【００１９】
したがって、本明細書の実施形態の目的は、セルラ及びＤ２Ｄ混在ネットワークの性能を改善する方法を提供することである。
【００２０】
実施形態の第１の態様によれば、本目的は、セルラ及びＤ２Ｄ混在ネットワークにおいてランダムアクセスチャネル（ＲＡＣＨ）手順を処理するための、基地局における方法によって達成される。基地局は、ＲＡＣＨがＤ２Ｄ通信に関連することの指標を、ＲＡＣＨメッセージで第１のユーザ装置から受信する。基地局は、その結果、当該指標に基づいて、第１のユーザ装置に対してＤ２Ｄリンクをスケジューリングする。
【００２１】
実施形態の第２の態様によれば、本目的は、セルラ及びＤ２Ｄ混在ネットワークにおいてランダムアクセスチャネル（ＲＡＣＨ）手順を処理するための、第１のユーザ装置における方法によって達成される。第１のユーザ装置は、ＲＡＣＨがＤ２Ｄ通信に関連することの指標を、ＲＡＣＨメッセージで、セルラ及びＤ２Ｄ混在ネットワーク内の基地局へ送信する。第１のユーザ装置は、ジューリングされたＤ２Ｄリンクについての情報を、基地局から受信する。Ｄ２Ｄリンクは、当該指標に基づいて第１のユーザ装置に対してスケジューリングされる。
【００２２】
実施形態の第３の態様によれば、本目的は、セルラ及びＤ２Ｄ混在ネットワークにおいてランダムアクセスチャネル（ＲＡＣＨ）手順を処理するための基地局によって達成される。基地局は、ＲＡＣＨがＤ２Ｄ通信に関連することの指標を、ＲＡＣＨメッセージで第１のユーザ装置から受信する受信ユニットを備える。基地局は、当該指標に基づいて、第１のユーザ装置に対してＤ２Ｄリンクをスケジューリングするスケジューラを更に備える。
【００２３】
実施形態の第４の態様によれば、本目的は、セルラ及びＤ２Ｄ混在ネットワークにおいてランダムアクセスチャネル（ＲＡＣＨ）手順を処理するための第１のユーザ装置によって達成される。第１のユーザ装置は、ＲＡＣＨがＤ２Ｄ通信に関連することの指標を、ＲＡＣＨメッセージで、セルラ及びＤ２Ｄ混在ネットワーク内の基地局へ送信する送信ユニットを備える。第１のユーザ装置は、スケジューリングされたＤ２Ｄリンクについての情報を、基地局から受信する受信ユニットを更に備える。Ｄ２Ｄリンクは、当該指標に基づいて第１のユーザ装置に対してスケジューリングされる。
【００２４】
基地局は、ＲＡＣＨがＤ２Ｄ通信に関連することの指標を、第１のユーザ装置から受信する。基地局は、その結果、ＲＡＣＨがセルラ通信ではなくＤ２Ｄ通信に関連すること知ることになり、それ故に、不必要なセルラ・リンクの代わりに、Ｄ２Ｄリンクを第１のユーザ装置に対してスケジューリングすることができる。このようにして、セルラ及びＤ２Ｄ混在ネットワークの性能が改善される。
【図面の簡単な説明】
【００２５】
以下の添付図面を参照して、本明細書の実施形態の例について更に詳しく説明する。
【００２６】
【図１】図１は、セルラネットワークにおける実施形態を図示する概略的なブロック図である。
【図２】図２は、方法の実施形態を示すフローチャート及びシグナリング図の組み合わせである。
【図３】図３は、基地局における方法の実施形態を示すフローチャートである。
【図４】図４は、いくつかのシナリオに係る実施形態を図示するブロック図である。
【図５】図５は、基地局の実施形態を図示する概略的なブロック図である。
【図６】図６は、第１のユーザ装置における方法の実施形態を示すフローチャートである。
【図７】図７は、第１のユーザ装置の実施形態を図示する概略的なブロック図である。
【発明を実施するための形態】
【００２７】
本明細書において展開している実施形態の一部として、まず、課題について特定及び議論する。上述のように、基地局がユーザ装置に対して何をスケジューリングすべきかを知るために、ユーザ装置に関連するセルラＲＡＣＨとＤ２Ｄ  ＲＡＣＨとを区別する必要がある。スケジューリング動作の他に、更に、基地局が、例えば異なるエクスペリエンス品質（ＱｏＥ：Quality of Experience）を提供するために、セルラ通信及びＤ２Ｄ通信についての異なるＲＡＣＨ応答性能を改善する必要がある。
【００２８】
ユーザ装置は、適切な方法でＤ２Ｄ  ＲＡＣＨのＭＳＧ４をモニタリングする必要があり、それ故に、それを実現する方法が必要となる。現在のセルラネットワークでは、非同期のユーザ装置のＵＬデータによってＲＡＣＨがトリガされると、ＭＳＧ４が、ＵＬグラントとして定義され、即ち、競合解決タイマー（ContentionResolutionTimer）は、ユーザ装置のＣ−ＲＮＴＩについて新たなＵＬグラントが受信された場合にのみ停止される。セルラ及びＤ２Ｄ混在ネットワークのシナリオでは、Ｄ２Ｄ送信のＲＡＣＨ手順については、送信及び受信の両方がＤ２Ｄコネクションに対して準備できていることを保証するために、Ｄ２Ｄリソース割当て情報が、両方のＤ２Ｄユーザ装置に同時に到達しなければならない。Ｄ２Ｄリンクにおける２つのＤ２Ｄユーザ装置については、第１のユーザ装置における、送信すべき新たなＤ２ＤデータによってトリガされたＲＡＣＨが存在する場合に、当該第１のユーザ装置は、他方のユーザ装置の現在の状態を知らない。他方のユーザ装置は、第２のユーザ装置とも称される。例えば、第２のユーザ装置は、連続したセルラリンク・アクティビティに起因して同期したままであるか、又は同様に非同期であるか、又はネットワークによってアイドル状態へ解放されている、というように、様々な状態にありうる。
【００２９】
ネットワークとのＵＬ同期によって、ユーザ装置の送信についての基地局における受信タイミングを、基地局のタイミングに合わせることが可能になる。
【００３０】
第１のユーザ装置は、同期している（in-sync）ユーザ装置（ＲＡＣＨユーザ装置）についてＰＤＣＣＨを継続的にモニタリングしなければならず、即ち、第１のユーザ装置は、最大限でもリソースグラント（即ち、ＭＳＧ４）を受信するために間欠受信（ＤＲＸ：Discontinuous Reception）サイクルを待ち受たなければならない。
【００３１】
更に、第１のユーザ装置は、非同期のユーザ装置（ＲＡＣＨユーザ装置）についてＰＤＣＣＨを継続的にモニタリングしなければならず、即ち、第１のユーザ装置は、第２のユーザ装置を同期させるために、少なくとも、ネットワーク開始の（network-initiated）ＲＡＣＨ手順を待たなければならない。
【００３２】
更に、第１のユーザ装置は、アイドル状態のユーザ装置（ＲＡＣＨユーザ装置）を継続的にモニタリングしなければならず、即ち、第１のユーザ装置は、第２のユーザ装置を同期させるために、ネットワーク開始のＲＣＣ接続再確立の手順を待たなければならない。したがって、同期しているユーザ装置についての最良のケースにおけるような、６４ｍｓである競合解決タイマー（ContentionResolutionTimer）の最大長より長い、３２０ｍｓ程度でありうる、第２のユーザ装置のＤＲＸサイクルを待つために、ユーザ装置は、ＲＡＣＨ手順で電力を浪費させられるであろう。このため、第１のユーザ装置は、より電力効率の良い方法でＭＳＧ４をモニタリングする必要がある。
【００３３】
本明細書の実施形態は、Ｄ２Ｄ通信のためのＲＡＣＨ手順を設計する方法を提供する。
【００３４】
本明細書の実施形態によれば、ＲＡＣＨ手順は、セルラ及びＤ２Ｄバッファを明示的又は黙示的に区別するために提供される。本明細書の実施形態は、例えば、ＭＳＧ１用のＲＡＣＨリソースのフレーム内における、分離されたプリアンブル／ＰＲＡＣＨ位置、又は、ＭＳＧ３における新たなＲＮＴＩ及び／又はＢＳＲ定義を含む。
【００３５】
本明細書の実施形態は、Ｃ−ＲＮＴＩ又はＤ２Ｄ−ＲＮＴＩ等の、ユーザ装置のＲＮＴＩに宛てられた任意のＰＤＣＣＨがＭＳＧ４とみなされうることを、更に含みうる。
【００３６】
図１は、本明細書の実施形態が実現されうるセルラ及びＤ２Ｄ混在ネットワーク１００を示す。セルラ及びＤ２Ｄ混在ネットワーク１００は、セルラ通信ネットワークとＤ２Ｄ通信ネットワークとを含む。セルラ通信ネットワークは、ＬＴＥ、ＷＣＤＭＡ、ＧＳＭネットワーク、任意の３ＧＰＰセルラネットワーク、Ｗｉｍａｘ、又は任意のセルラネットワーク若しくはシステム等の、無線通信ネットワークである。Ｄ２Ｄ通信ネットワークは、例えば数十から数百メートルの範囲の、互いに近接したユーザ装置のような無線デバイス間の直接通信である。
【００３７】
セルラ及びＤ２Ｄ混在ネットワーク１００は、複数の基地局を含み、それらの１つである基地局１１０が図１に示されている。基地局１１０は、例えば、ｅＮＢ、ｅＮｏｄｅＢ、ホームＮｏｄｅＢ、ホームｅＮｏｄｅＢ、又は、セルラ通信ネットワーク内のユーザ装置若しくはマシンタイプの通信デバイスにサービスを行うことが可能な、他の任意のノード等の、無線基地局であってもよい。基地局１００は、セル１１５にサービスを行っている。
【００３８】
複数のユーザ装置が、基地局１１０によってサービスが行われるセル１１５内に位置している。図１のシナリオ例では、２つのユーザ装置（第１のユーザ装置１２１及び第２のユーザ装置１２２）のみがセル１１５内に示されている。第１のユーザ装置１２１及び第２のユーザ装置１２２は、Ｄ２Ｄ通信を使用して互いに通信可能である。第１のユーザ装置１２１及び第２のユーザ装置１２２は、更に、セル１１５内に位置している場合、基地局１１０を介してセルラ及びＤ２Ｄ混在ネットワーク１００内のセルラ通信ネットワークにアクセス可能である。第１のユーザ装置１２１及び第２のユーザ装置１２２は、例えば、無線機能を有する、移動端末若しくは無線端末、携帯電話、時にはサーフプレートとも称されるラップトップ、パーソナル・デジタル・アシスタント（ＰＤＡ）若しくはタブレットコンピュータ等のコンピュータ、又は、セルラ通信ネットワーク内の無線リンク１３１若しくはＤ２Ｄリンク通信ネットワーク内のＤ２Ｄリンク１３２を介して通信可能な他の任意の無線ネットワークユニットであってもよい。
【００３９】
次に、図２に示すフローチャート及びシグナリング図の組み合わせを参照して、セルラ及びＤ２Ｄ混在ネットワークにおけるＲＡＣＨ手順を処理するための方法の実施形態の例について説明する。以下では、基地局１１０の観点から見た方法の実施形態（図３）、及びユーザ装置１２１の観点から見た方法の実施形態（図５）について説明する。
【００４０】
本方法は、以下の動作を含み、それらの動作は任意の適切な順序を取りうる。
【００４１】
＜動作２０１＞
これは、オプションの動作である。基地局１１０は、基地局１１０によってサービスが行われる、第１のユーザ装置１２１と、場合によっては第２のユーザ装置とを含む複数のユーザ装置に対して、情報を送信しうる。当該情報は、Ｄ２Ｄ通信に使用されるＲＡＣＨプリアンブルと、セルラ通信に使用されるＲＡＣＨプリアンブルとが分割されていることを含む。これは、ＲＡＣＨプリアンブルがセルラ通信を示すのかＤ２Ｄ通信を示すのかを基地局１１０が認識できるようにするためのものである。この情報は、例えばブロードキャストされうる。
【００４２】
複数のＲＡＣＨプリアンブルは、異なるグループ（Ｄ２Ｄ通信に関連するＲＡＣＨプリアンブルの１つ以上のグループと、セルラ通信に関連するＲＡＣＨプリアンブルの１つ以上のグループと）に分割されうる。代替として、複数のＲＡＣＨリソースは、ＲＡＣＨリソースのフレーム内の異なる時間及び／又は周波数位置（Ｄ２Ｄ通信に関連付けられたＲＡＣＨの時間及び／又は周波数位置と、セルラ通信に関連付けられたＲＡＣＨの時間及び／又は周波数位置と）に分割されうる。これについては、以下で更に議論する。
【００４３】
＜動作２０２＞
シナリオ例では、第１のユーザ装置１２１は、第２のユーザ装置１２２へ送信することを必要とするデータのバッファを有する。第１のユーザ装置１２１は、第２のユーザ装置１２２の近くにあるため、データのバッファを送信するためにＤ２Ｄリンク１３２を確立しようとする。したがって、第１のユーザ装置１２１は、ＲＡＣＨメッセージを基地局１１０へ送信する。本明細書の実施形態によれば、ＲＡＣＨメッセージは、ＲＡＣＨがＤ２Ｄ通信に関連することの指標を含む。これにより、Ｄ２Ｄ通信のためにスケジューリングされるリソースを第１のユーザ装置が要求していることが、基地局１１０に伝えられる。
【００４４】
ＲＡＣＨメッセージは、ＲＡＣＨリソースの位置で送信されるＲＡＣＨプリアンブル（即ち、ＲＡＣＨ手順におけるＭＳＧ１）であってもよい。
【００４５】
いくつかの実施形態では、指標は、特定のＤ２Ｄ  ＲＮＴＩであってもよいし、ＲＡＣＨ手順におけるＭＳＧ３に含まれてもよい。当該特定のＤ２Ｄ  ＲＮＴＩは、Ｄ２Ｄリンクの送信及び受信に共通である。それによりどのユーザ装置がＤ２Ｄリンクの相手先であるのかが基地局１１０に知らされるため、これは利点である。
【００４６】
いくつかの実施形態では、第１のユーザ装置１２１は、Ｄ２Ｄ通信に使用されるＲＡＣＨプリアンブルと、セルラ通信に使用されるＲＡＣＨプリアンブルとが分割されていることについての情報を受信している。これらの実施形態では、基地局１１０へ送信され、かつ、基地局１１０によって受信される指標は、Ｄ２Ｄ通信に関連するＲＡＣＨプリアンブルのグループに含まれるＲＡＣＨプリアンブルであってもよいし、又は、ＲＡＣＨリソースのフレーム内における特定の時間及び／又は周波数位置で受信されるＲＡＣＨプリアンブルであってもよく、当該特定の時間及び／又は周波数位置は、Ｄ２Ｄ通信に関連している。以下では、これについて更に説明する。
【００４７】
いくつかの実施形態では、指標は、Ｄ２Ｄ通信に関連するフォーマットを含むバッファ状態報告（ＢＳＲ）である。これは、ＲＡＣＨ手順のＭＳＧ３に含まれうる。以下では、これについても更に説明する。
【００４８】
＜動作２０３＞
基地局１１０は、Ｄ２Ｄ通信の指標を含むＲＡＣＨメッセージを受信している。これにより、基地局は、ＲＡＣＨメッセージがＤ２Ｄ通信に関連することを知り、それ故に、当該指標に基づいて、第１のユーザ装置１２１に対してＤ２Ｄリンクをスケジューリングする。このようにして、不必要なセルラ・リンクのスケジューリングが避けられる。
【００４９】
＜動作２０４＞
これは、オプションの動作であり、いくつかの実施形態で実行される。Ｄ２Ｄリンクは、第１のユーザ装置１２１と第２のユーザ装置１２２との間のＤ２Ｄ通信のためのものであるため、基地局１１０は、情報を、ＰＤＣＣＨのＲＡＣＨメッセージで、同一のＲＡＣＨメッセージを使用して第１のユーザ装置１２１及び第２のユーザ装置１２２へ同時に送信してもよい。この情報は、特定のＤ２Ｄ  ＲＮＴＩに関連付けられた、スケジューリングされたＤ２Ｄリンクを含むとともに、ＲＡＣＨ手順におけるＭＳＧ４に関連するＰＤＣＣＨメッセージであってもよい。
【００５０】
いくつかの実施形態では、第１のユーザ装置１２１は、アクティブ時間解決タイマー（active time resolution timer）を有してもよい。このタイマーでは、第１のユーザ装置１２１は、Ｄ２Ｄ通信のために当該ユーザ装置が要求したリソースについてのグラント等の、任意のリソースをモニタリングする。アクティブ時間解決タイマーは、いくつかの実施形態では、特定のＤ２Ｄ  ＲＮＴＩに関連付けられた、スケジューリングされたＤ２Ｄリンクを含むＲＡＣＨメッセージの受信に応じて、第１のユーザ装置によって停止されてもよい。
【００５１】
しかし、場合によっては、第１のユーザ装置１２１へ送信される特定のグラントメッセージは存在しなくてもよい。これは、例えば、第２のユーザ装置１２２ではグラントを受信する準備ができておらず、かつ、ネットワークが第２のユーザ装置１２２を起動させるのにより多くの時間がかかるという理由により、タイマーの長さが、基地局１１０にとって、Ｄ２Ｄペアの第１のユーザ装置１２１及び第２のユーザ装置１２２の両方に対してグラントを送信するのに十分ではないためでありうる。したがって、いくつかの実施形態では、基地局１１０は、任意のＰＤＣＣＨメッセージを第１のユーザ装置１２１へ送信しうる。このＰＤＣＣＨメッセージが、例えば、第１のユーザ装置１２１のＣ−ＲＮＴＩ又はＤ２Ｄ−ＲＮＴＩ等のＲＮＴＩを宛先としている場合、当該メッセージは、第１のユーザ装置１２１内のアクティブ時間解決タイマーを停止させるための、第１のユーザ装置１２１への指標として解釈される。例えば、当該メッセージは、第１のユーザ装置１２１によって、ＭＳＧ４のようなスケジューリンググラントとして解釈されうる。
【００５２】
＜動作２０５＞
これは、オプションの動作であり、いくつかの実施形態で実行される。この動作では、第１のユーザ装置１２１は、アクティブ時間解決タイマーを、上記の動作に従って停止する。
【００５３】
＜動作２０６＞
その後、スケジューリングされたＤ２Ｄリンク１３２を使用して、第１のユーザ装置と第２のユーザ装置１２２との間にＤ２Ｄ通信が確立される。
【００５４】
＜基地局１１０の観点から見た方法の実施形態＞
次に、図３に示すフローチャートを参照して、セルラ及びＤ２Ｄ混在ネットワーク１００においてランダムアクセスチャネル（ＲＡＣＨ）手順を処理するための、基地局１１０における方法の実施形態の例について説明する。本方法は、以下の動作を含み、それらの動作は任意の適切な順序を取りうる。図３のいくつかのボックスについての破線は、その動作が必須ではないことを示す。
【００５５】
＜動作３０１＞
これは、オプションの動作である。いくつかの実施形態では、基地局１１０は、基地局１１０によってサービスが行われる複数のユーザ装置へ情報を送信する。当該複数のユーザ装置は、例えば、第１のユーザ装置１２１と、いくつかの実施形態では第２のユーザ装置と、を含む。当該情報は、Ｄ２Ｄ通信に使用されるＲＡＣＨプリアンブルと、セルラ通信に使用されるＲＡＣＨプリアンブルとが分割されていることを含む。いくつかの実施形態では、複数のＲＡＣＨプリアンブルは、Ｄ２Ｄ通信に関連するＲＡＣＨプリアンブルのグループと、セルラ通信に関連するＲＡＣＨプリアンブルのグループという、異なるグループに分割される。代替又は組み合わせとして、複数のＲＡＣＨプリアンブルは、Ｄ２Ｄ通信に関連付けられたＲＡＣＨの時間及び／又は周波数位置と、セルラ通信に関連付けられたＲＡＣＨの時間及び／又は周波数位置という、ＲＡＣＨリソースのフレーム内の異なる時間及び／又は周波数位置に分割される。例えば、フレーム内に多数のＲＡＣＨリソース位置が存在し、（複数の）特定のリソース位置が、Ｄ２Ｄ固有として予め定義されていてもよい（即ち、ＲＡＣＨ  ＭＳＧ１がそれらの位置で送信される場合に、それはＤ２Ｄ  ＲＡＣＨのためのものである）。このことは、Ｄ２Ｄ通信に関連付けられた特定の時間及び／又は周波数位置でプリアンブルが受信された場合、基地局１００は、これがＤ２Ｄプリアンブルであると知ることになり、また、セルラ通信に関連付けられた特定の時間及び／又は周波数位置でプリアンブルが受信された場合、基地局１００は、これがセルラ・プリアンブルであると知ることになる、ということを意味する。
【００５６】
この動作は、上記の動作２０１と対応している。
【００５７】
＜動作３０２＞
基地局１１０は、ＲＡＣＨメッセージを第１のユーザ装置１２１から受信する。当該ＲＡＣＨメッセージは、ＲＡＣＨがＤ２Ｄ通信に関連することの指標を含む。
【００５８】
ＲＡＣＨ手順は、このようにして、第１のユーザ装置から第２のユーザ装置１２２へ送信される、セルラ用及びＤ２Ｄ用データバッファを区別することによって改善される。セルラ又はＤ２ＤによってトリガされるＲＡＣＨを区別するために、この指標は、例えばＭＳＧ１又はＭＳＧ３によって、第１のユーザ装置１２１から明示的に又は黙示的に受信されうる。
【００５９】
ＲＡＣＨメッセージは、例えば、ＲＡＣＨ手順のＭＳＧ１又はＭＳＧ３に含まれうる、ＲＡＣＨプリアンブル又はリソース要求であってもよい。
【００６０】
いくつかの実施形態では、当該指標は、特定のＤ２Ｄ  ＲＮＴＩである。特定のＤ２Ｄ  ＲＮＴＩは、Ｄ２Ｄリンクの送信及び受信で共通である。ＲＮＴＩの新たな定義（例えば、Ｄ２Ｄ−ＲＮＴＩ）が、Ｄ２Ｄ通信に対して適用されてもよい。このＲＮＴＩは、Ｄ２Ｄ送信及び／又は受信（Ｔｘ／Ｒｘ）に共通であり、それにより、Ｄ２Ｄ−ＲＮＴＩに宛てられたＤＬ情報が、特定のＤ２Ｄリンクで（例えば、Ｄ２Ｄリンクについての、ＰＤＣＣＨ上のスケジューリング情報及びＰＤＳＣＨ上のＲＲＣ設定情報として）、第１のユーザ装置１２１及び第２のユーザ装置１２２の両方によって、受信されることになろう。ＲＮＴＩは、例えばセルラ及びＤ２Ｄ混在ネットワーク１００内の基地局１１０によって、第１のユーザ装置１２１及び第２のユーザ装置１２２に対して割り当てられるため、基地局１１０は、この特定のＤ２Ｄ  ＲＮＴＩを受信した際に、セルラ又はＤ２ＤトリガのＲＡＣＨであることを知ることになる。特定のＤ２Ｄ  ＲＮＴＩを用いる本実施形態は、マルチホップのＤ２Ｄシナリオに拡張されてもよく、即ち、第１のユーザ装置１２１のような、Ｄ２Ｄが可能な１つのユーザ装置が、異なるＤ２Ｄ−ＲＮＴＩによって区別される、Ｄ２Ｄモードの多数のユーザ装置と通信できる。
【００６１】
他のいくつかの実施形態では、指標は、Ｄ２Ｄ通信に関連するＲＡＣＨプリアンブルのグループに含まれるＲＡＣＨプリアンブルである。セルラＲＡＣＨとＤ２Ｄ  ＲＡＣＨとに対して、分離されたプリアンブルグループが定義されうる。基地局１１０では、異なるグループのプリアンブルを検出することによって、当該基地局は、セルラＲＡＣＨであるかＤ２Ｄ  ＲＡＣＨであるかを知ることになる。プリアンブル分割は、例えば、上記の動作３０１で基地局１１０によって、セルラ及びＤ２Ｄ混在ネットワーク１００において事前にブロードキャストされてもよい。これは、例えば、セルカバレッジ内の全てのユーザ装置に対して、システム内で定期的にブロードキャストされるシステム情報ブロック（ＳＩＢ：System Information Block）で、ブロードキャストされてもよい。このプリアンブル分割は、例えば、Ｄ２Ｄ  ＲＡＣＨ負荷に対するセルラＲＡＣＨ負荷の比率がｘ：ｙである場合に、セルラＲＡＣＨ及びＤ２Ｄ  ＲＡＣＨのプリアンブル分割も、ｘ：ｙとなるというように、セルラのユーザ装置及びＤ２Ｄのユーザ装置のそれぞれのＲＡＣＨ負荷に依存して調整されてもよい。
【００６２】
他のいくつかの実施形態では、指標は、Ｄ２Ｄ通信に関連する、ＲＡＣＨリソースのフレーム内の特定の時間及び／又は周波数位置で受信されるＲＡＣＨプリアンブルである。分離されたＲＡＣＨ時間及び／又は周波数位置を使用することによって、第１のユーザ装置１２１は、セルラ通信とＤ２Ｄ通信とを区別するために、そのＲＡＣＨ試行をフレームの異なる時間位置に制限することになろう。同様に、このＰＲＡＣＨ位置の分割は、ネットワーク内でブロードキャストされてもよいし、ユーザ装置負荷に基づいて調整されてもよい。
【００６３】
更に、指標は、例えばＲＡＣＨ手順におけるＭＳＧ３に含まれうる、Ｄ２Ｄ通信に関連するフォーマットを含むＢＳＲであってもよい。
【００６４】
Ｄ２Ｄ用のＢＳＲについての特定の定義に、セルラ用のＢＳＲと異なるフォーマットが適用されてもよい。これは、当該特定のＤ２Ｄ  ＢＳＲを搬送するために、新たなメディアアクセス制御（ＭＡＣ）制御エレメント（ＣＥ）に対して新たな論理チャネル識別子（ＬＣＩＤ：Logical Channel Identity）を定義することによって行われてもよい。したがって、この新たなＢＳＲを受信することによって、基地局は、セルラ・トリガのＲＡＣＨであるかＤ２ＤトリガのＲＡＣＨであるかを知ることになる。
【００６５】
この動作は、上記の動作２０２と対応している。
【００６６】
＜動作３０３＞
基地局１１０は、指標に基づいて、第１のユーザ装置１２１に対してＤ２Ｄリンクをスケジューリングする。
【００６７】
この動作は、上記の動作２０３と対応している。
【００６８】
＜動作３０４＞
上述のように、Ｄ２Ｄリンクは、第１のユーザ装置１２１と第２のユーザ装置１２２との間のＤ２Ｄ通信のためのものである。基地局１１０は、ＲＡＣＨメッセージで、第１のユーザ装置１２１及び第２のユーザ装置１２２へ情報を送信してもよい。当該情報は、特定のＤ２Ｄ  ＲＮＴＩに関連付けられた、スケジューリングされたＤ２Ｄリンクを含む。
【００６９】
この動作は、上記の動作２０４と対応している。
【００７０】
従来技術によれば、スケジューリング情報の配信（例えば、ＲＡＣＨ手順の下りリンク制御情報（ＤＣＩ））は、Ｄ２Ｄ送信及びＤ２Ｄ受信の両方のＤＲＸタイミングに従いうるため、ＤＲＸスリープ・インターバルにおけるＰＤＣＣＨのモニタリングは無意味であり、即ち、この場合における従来のＭＳＧ４の定義は制限されすぎる。この課題を克服するために、いくつかの実施形態に係る基地局１１０は、任意のＰＤＣＣＨメッセージを第１のユーザ装置１２１へ送信する。このＰＤＣＣＨメッセージは、第１のユーザ装置１２１のＲＮＴＩを宛先としている場合に、第１のユーザ装置１２１内のアクティブ時間解決タイマーを停止させるための、第１のユーザ装置１２１への指標として解釈されることになる。このため、本実施形態によれば、第１のユーザ装置は、このＰＤＣＣＨメッセージをＭＳＧ４として解釈しうる。このことは、第１のユーザ装置のＲＮＴＩに宛てられた任意のＰＤＣＣＨが、ＭＳＧ４とみなされうることを意味する。これは、本明細書の実施形態に係る、ＭＳＧ４のモニタリング動作を示す図４に示されている。
【００７１】
図４では、横線を有するボックスは、ＰＤＣＣＨをモニタリングするためにユーザ装置がアクティブであるもののシグナリング・アクティビティは無いタイムスロットであり、白色のボックスは、ユーザ装置がＲＲＣアイドルであるタイムスロットであり、縦線を有するボックスは、ユーザ装置がＲＲＣ接続されているが非アクティブであるタイムスロットである。上方への対角線を有するボックスは、共同スケジューリングされたタイムスロットであり、図４に記載の共同スケジューリング（co-scheduling）ＤＣＩは、両方のＤ２Ｄ  ＵＥ（即ち、Ｄ２Ｄリソース・スケジューリングについての第１及び第２のユーザ装置）に到達するＰＤＣＣＨを意味する。これらのタイムスロットでは、例えば、ＭＳＧ３及びＭＳＧ４のような、ユーザ装置と基地局１１０との間でのシグナリングの交換が存在する。
【００７２】
図４の第１のシナリオでは、第１のユーザ装置１２１は、ＲＡＣＨ４１０を実行し、第２のユーザ装置１２２は、同期中（in-sync）４２０である。第１のシナリオにおいて第２のユーザ装置１２２が同期している場合には、基地局１１０は、第２のユーザ装置１２２のＤＲＸサイクルが十分に短ければ、ＲＡＣＨ手順が終了するとすぐに、スケジューリング情報を第１のユーザ装置１２１及び第２のユーザ装置の両方へ送信することが可能であり、それ故に、このケースでは従来の方法でもうまくいく。しかし、他のケース（即ち、ＤＲＸサイクルが長い場合）については、ＤＲＸサイクルに起因した遅延によって、タイマーの範囲内でスケジューリング情報を送信することが難しくなり、それ故に、このケースでは従来の方法はうまくいかなくなる。これは、４２０として参照される図４に示すケースであり、即ち、個別のＭＳＧ４が第１のユーザ装置１２１へ送信された後に、共同スケジューリングＤＣＩが送信される。
【００７３】
第２のシナリオでは、第１のユーザ装置１２１は、ＲＡＣＨ４１０を実行し、第２のユーザ装置１２２は、非同期（out-of-sync）４３０である。第２のシナリオでは、ネットワーク開始のＲＡＣＨ手順に起因した追加の遅延が存在し、それにより、タイマーの範囲内でスケジューリング情報を送信することが難しくなり、その結果、このケースでは従来の方法はうまくいかなくなる。
【００７４】
第３のシナリオでは、第１のユーザ装置１２１は、ＲＡＣＨ４１０を実行し、第２のユーザ装置１２２は、ＲＲＣアイドル（RRC idle）４４０である。第３のシナリオでは、ＲＲＣ確立手順に起因した追加の遅延が存在し、それにより、タイマーの範囲内でスケジューリング情報を送信することが難しくなり、その結果、このケースでは従来の方法はうまくいかなくなる。
【００７５】
このため、第１のユーザ装置１２１内のアクティブ時間解決タイマーを停止させるための第１のユーザ装置１２１への指標として解釈される、任意のＲＡＣＨメッセージを送信する実施形態は、例えば、上述の第１、第２及び第３のシナリオにおいて適用可能である。
【００７６】
なお、第２のユーザ装置１２２が非同期又はＲＲＣアイドル状態である場合には、ＰＵＣＣＨ又はＲＲＣ設定が解放され、その結果、このユーザ装置のＣ−ＲＮＴＩに対する、ＲＡＣＨメッセージであるＲＲＣ再設定シグナリングが、いずれにしても必要であり、当該シグナリングは、それ故に、図４に示すように、競合解決タイマー（ContentionResolutionTimer）を停止させるためのＭＳＧ４とみなされうる。図４では、タイマーは４１０用であり、当該タイマーは、ＭＳＧ３において開始され、ＭＳＧ４において停止される。
【００７７】
ＭＳＧ４又はＭＳＧ４と解釈される任意のＰＤＣＣＨメッセージの受信後に、第１のユーザ装置１２１は、ＰＤＣＣＨモニタリング用の通常のＤＲＸタイミングに従うことになろう。両方のＤ２Ｄユーザ装置（即ち、第１のユーザ装置１２１及び第２のユーザ装置１２２）は、ネットワーク設定によって実現される、同一のＤＲＸタイミングに従うことになり、当該Ｄ２Ｄペアに宛てられたネットワーク・スケジューリング情報は、それ故に、第１のユーザ装置１２１及び第２のユーザ装置１２２の両方に同時に到達可能であり、これは、図４における「共同スケジューリングＤＣＩ」とみなされる。
【００７８】
この動作は、上記の動作２０４と対応している。
【００７９】
これらの実施形態の結果、ＭＳＧ４用のタイマーがアクティブである場合の、ＰＤＣＣＨモニタリングについてのユーザ装置の消費電力が低減されるとともに、更に、ＭＳＧ４タイマーについての拡張された長さに起因したＲＡＣＨ遅延が低減される。
【００８０】
本明細書の実施形態に係るＤ２Ｄ通信のためのＲＡＣＨ手順は、後方互換性を有する。
【００８１】
図２及び図３に関連した、セルラ及びＤ２Ｄ混在ネットワークにおいてＲＡＣＨ手順を処理するための方法の動作を実行するために、基地局１１０は、図５に示す、以下の構成を備える。上述のように、Ｄ２Ｄリンクは、第１のユーザ装置１２１と第２のユーザ装置１２２との間のＤ２Ｄ通信のためのものでありうる。
【００８２】
基地局１１０は、ＲＡＣＨメッセージを第１のユーザ装置１２１から受信するよう構成された受信ユニット５１０を備える。当該ＲＡＣＨメッセージは、ＲＡＣＨがＤ２Ｄ通信に関連することの指標を含む。
【００８３】
ＲＡＣＨメッセージは、例えば、ＲＡＣＨプリアンブル又はリソース要求であってもよい。
【００８４】
指標は、特定のＤ２Ｄ  ＲＮＴＩであってもよい。当該特定のＤ２Ｄ  ＲＮＴＩは、Ｄ２Ｄリンクにおける送信及び受信に共通である。
【００８５】
指標は、更に、Ｄ２Ｄ通信に関連するＲＡＣＨプリアンブルのグループに含まれるＲＡＣＨプリアンブルであってもよいし、又は、Ｄ２Ｄ通信に関連する、ＲＡＣＨリソースのフレーム内の特定の時間及び／又は周波数位置で受信されるＲＡＣＨプリアンブルであってもよい。
【００８６】
いくつかの実施形態では、指標は、Ｄ２Ｄ通信に関連するフォーマットを含むＢＳＲである。
【００８７】
基地局１１０は、指標に基づいて、第１のユーザ装置１２１に対してＤ２Ｄリンクをスケジューリングするよう構成されたスケジューラ５２０を更に備える。
【００８８】
基地局１１０は、第１のユーザ装置１２１及び第２のユーザ装置１２２へ、ＲＡＣＨメッセージで情報を送信するよう構成された送信ユニット５３０を更に備える。当該情報は、特定のＤ２Ｄ  ＲＮＴＩに関連付けられた、スケジューリングされたＤ２Ｄリンクを含む。
【００８９】
いくつかの実施形態では、送信ユニット５３０は、基地局によってサービスが行われる、第１のユーザ装置１２１を含む複数のユーザ装置へ情報を送信するよう構成される。当該情報は、Ｄ２Ｄ通信に使用されるＲＡＣＨプリアンブルとセルラ通信に使用されるＲＡＣＨプリアンブルとが、
‐Ｄ２Ｄ通信に関連するＲＡＣＨプリアンブルのグループと、セルラ通信に関連するＲＡＣＨプリアンブルのグループという、異なるグループに分割されている、又は
‐Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている、との情報を含む。
【００９０】
送信ユニット５３０は、更に、任意のＰＤＣＣＨメッセージを第１のユーザ装置１２１へ送信するよう構成されていてもよく、当該ＰＤＣＣＨメッセージは、第１のユーザ装置１２１のＲＮＴＩに宛てられている場合、第１のユーザ装置１２１内のアクティブ時間解決タイマーを停止させるための、第１のユーザ装置１２１への指標として解釈される。
【００９１】
セルラ及びＤ２Ｄ混在ネットワークにおいてＲＡＣＨ手順を処理するための、本明細書の実施形態は、本明細書の実施形態の機能及び動作を実現するためのコンピュータプログラム・コードとともに、図５に示す基地局１１０のプロセッサ５４０のような、１つ以上のプロセッサを通じて実現されうる。上述のプログラム・コードは、例えば、基地局１１０にロードされた場合に本明細書の実施形態を実現するためのコンピュータプログラム・コードを保持するデータ担体の形式のコンピュータプログラム製品として提供されてもよい。そのような担体の１つは、ＣＤ−ＲＯＭディスクの形式であってもよい。しかし、メモリースティックのような他のデータ担体でも実現可能である。更に、コンピュータプログラム・コードは、サーバ上でピュア・プログラム・コードとして提供され、基地局１１０へダウンロードされてもよい。
【００９２】
基地局１１０は、更に、１つ以上のメモリユニットを含むメモリ５５０を備えてもよい。メモリ５５０は、ＲＡＣＨがＤ２Ｄ通信に関連することの指標、データ、設定、スケジューリング、及び、基地局１１０で実行された場合に本明細書の方法を実行するためのアプリケーションを格納するために使用されるように構成される。
【００９３】
上述の受信ユニット５１０、スケジューラ５２０及び受信ユニット５１０は、アナログ回路とデジタル回路との組み合わせ、及び／又は、プロセッサ５４０等の１つ以上のプロセッサによって実行された場合に上述したように実行する（例えば、メモリ５５０に格納された）ソフトウェア及び／又はファームウェアで構成される１つ以上のプロセッサを示しうることは、当業者によって更に理解されるだろう。これらのプロセッサの１つ以上及び他のデジタル・ハードウェアは、単一の特定用途向け集積回路（ＡＳＩＣ）に含まれていてもよいし、あるいは、複数のプロセッサ及び種々のデジタル・ハードウェアは、個別にパッケージ化されているかシステム・オン・チップ（ＳｏＣ）に組み込まれているかに関係なく、複数の個別のコンポーネント間に分散されてもよい。
【００９４】
＜第１のユーザ装置１２１の観点から見た方法の実施形態＞
次に、図６に示すフローチャートを参照して、セルラ及びＤ２Ｄ混在ネットワーク１００においてＲＡＣＨ手順を処理するための、第１のユーザ装置１２１における方法の実施形態の例について説明する。本方法については、図３及び図４との関連で綿密に上述しているため、ここでは簡潔な説明のみ行う。本方法は、以下の動作を含み、それらの動作は任意の適切な順序を取りうる。図６のいくつかのボックスについての破線は、その動作が必須ではないことを示す。
【００９５】
＜動作６０１＞
いくつかの実施形態では、第１のユーザ装置１２１は、基地局１１０から情報を受信する。当該情報は、Ｄ２Ｄ通信に使用されるＲＡＣＨプリアンブルと、セルラ通信に使用されるＲＡＣＨプリアンブルとが分割されていることを含む。いくつかの実施形態では、ＲＡＣＨプリアンブルは、Ｄ２Ｄ通信に関連するＲＡＣＨプリアンブルのグループと、セルラ通信に関連するＲＡＣＨプリアンブルのグループという、異なるグループに分割される。代替又は組み合わせとして、複数のＲＡＣＨプリアンブルは、Ｄ２Ｄ通信に関連付けられたＲＡＣＨの時間及び／又は周波数位置と、セルラ通信に関連付けられたＲＡＣＨの時間及び／又は周波数位置という、ＲＡＣＨリソースのフレーム内の異なる時間及び／又は周波数位置に分割される。
【００９６】
この動作は、上記の動作２０１と対応している。
【００９７】
＜動作６０２＞
第１のユーザ装置１２１は、ＲＡＣＨメッセージを基地局１１０へ送信する。当該ＲＡＣＨメッセージは、ＲＡＣＨがＤ２Ｄ通信に関連することの指標を含む。
【００９８】
ＲＡＣＨメッセージは、例えば、ＲＡＣＨプリアンブル又はリソース要求であってもよい。
【００９９】
いくつかの実施形態では、指標は、特定のＤ２Ｄ  ＲＮＴＩであり、当該特定のＤ２Ｄ  ＲＮＴＩは、Ｄ２Ｄリンクの送信及び受信で共通である。当該Ｄ２Ｄリンクは、第１のユーザ装置１２１と第２のユーザ装置１２２との間のＤ２Ｄ通信のためのものである。これらの実施形態では、基地局１１０からの、スケジューリングされたＤ２Ｄについての情報は、特定のＤ２Ｄ  ＲＮＴＩと関連付けられた、スケジューリングされたＤ２Ｄリンクを含みうる。
【０１００】
いくつかの実施形態では、指標は、Ｄ２Ｄ通信に関連するＲＡＣＨプリアンブルのグループの、ＲＡＣＨプリアンブルである。
【０１０１】
指標は、更に、Ｄ２Ｄ通信に関連する、ＲＡＣＨリソースのフレーム内の特定の時間及び／又は周波数位置で送信されるＲＡＣＨプリアンブルであってもよい。
【０１０２】
指標は、更に、Ｄ２Ｄ通信に関連するフォーマットを含むＢＳＲであってもよい。
【０１０３】
この動作は、上記の動作２０２と対応している。
【０１０４】
＜動作６０３＞
第１のユーザ装置１２１は、スケジューリングされたＤ２Ｄリンクについての情報を基地局１１０から受信する。Ｄ２Ｄリンクは、指標に基づいて、第１のユーザ装置１２１に対してスケジューリングされている。これは、ＰＤＣＣＨメッセージであってもよい。
【０１０５】
いくつかの実施形態では、第１のユーザ装置１２１は、任意のＰＤＣＣＨメッセージを基地局１１０から受信する。このＰＤＣＣＨメッセージは、第１のユーザ装置１２１のＲＮＴＩに宛てられた場合、第１のユーザ装置１２１内のアクティブ時間解決タイマーを停止させるための、第１のユーザ装置１２１への指標として解釈される
【０１０６】
この動作は、上記の動作２０４と対応している。
【０１０７】
図６に関連した、セルラ及びＤ２Ｄ混在ネットワークにおいてＲＡＣＨ手順を処理するための方法の動作を実行するために、第１のユーザ装置１２１は、図７に示す、以下の構成を備える。上述のように、及びいくつかの実施形態によれば、Ｄ２Ｄリンクは、第１のユーザ装置１２１と第２のユーザ装置１２２との間のＤ２Ｄ通信のためのものである。
【０１０８】
第１のユーザ装置１２１は、ＲＡＣＨがＤ２Ｄ通信に関連することの指標を、ＲＡＣＨメッセージで、セルラ及びＤ２Ｄ混在ネットワーク内の基地局１１０へ送信するよう構成された送信ユニット７１０を備える。ＲＡＣＨメッセージは、例えば、ＲＡＣＨプリアンブル又はリソース要求であってもよい。
【０１０９】
いくつかの実施形態では、指標は、特定のＤ２Ｄ  ＲＮＴＩである。当該特定のＤ２Ｄ  ＲＮＴＩは、Ｄ２Ｄリンクにおける送信及び受信に共通である。指標は、更に、Ｄ２Ｄ通信に関連するＲＡＣＨプリアンブルのグループに含まれるＲＡＣＨプリアンブルであってもよい。いくつかの実施形態では、指標は、Ｄ２Ｄ通信に関連する、ＲＡＣＨリソースのフレーム内の特定の時間及び／又は周波数位置で送信されるＲＡＣＨプリアンブルである。いくつかの実施形態によれば、指標は、Ｄ２Ｄ通信に関連するフォーマットを含むＢＳＲである。
【０１１０】
第１のユーザ装置は、更に、スケジューリングされたＤ２Ｄリンクについての情報を、基地局１１０から受信するよう構成された受信ユニット７２０を備え、Ｄ２Ｄリンクは、指標に基づいて第１のユーザ装置１２１に対してスケジューリングされている。
【０１１１】
基地局１１０からの、スケジューリングされたＤ２Ｄリンクについての情報は、特定のＤ２Ｄ  ＲＮＴＩに関連付けられた、スケジューリングされたＤ２Ｄリンクを含んでもよい。
【０１１２】
受信ユニット７２０は、更に、基地局１１０から情報を受信するよう構成されてもよい。この情報は、Ｄ２Ｄ通信に使用されるＲＡＣＨプリアンブルとセルラ通信に使用されるＲＡＣＨプリアンブルとが分割されていることを含む。いくつかの実施形態では、ＲＡＣＨプリアンブルは、Ｄ２Ｄ通信に関連するＲＡＣＨプリアンブルのグループと、セルラ通信に関連するＲＡＣＨプリアンブルのグループという、異なるグループに分割されている。代替又は組み合わせとしては、ＲＡＣＨプリアンブルは、Ｄ２Ｄ通信に関連付けられたＲＡＣＨの時間及び／又は周波数位置と、セルラ通信に関連付けられたＲＡＣＨの時間及び／又は周波数位置という、異なる時間及び／又は周波数位置に分割されている。
【０１１３】
受信ユニット７２０は、更に、任意のＰＤＣＣＨメッセージを基地局１１０から受信するよう構成されてもよい。当該ＰＤＣＣＨメッセージは、第１のユーザ装置１２１のＲＮＴＩに宛てられている場合、第１のユーザ装置１２１内のアクティブ時間解決タイマーを停止させるための、第１のユーザ装置１２１への指標として解釈される。
【０１１４】
セルラ及びＤ２Ｄ混在ネットワークにおいてＲＡＣＨ手順を処理するための、本明細書の実施形態は、本明細書の実施形態の機能及び動作を実現するためのコンピュータプログラム・コードとともに、図７に示す第１のユーザ装置１２１のプロセッサ７３０のような、１つ以上のプロセッサを通じて実現されうる。上述のプログラム・コードは、例えば、第１のユーザ装置１２１にロードされた場合に本明細書の実施形態を実現するためのコンピュータプログラム・コードを保持するデータ担体の形式のコンピュータプログラム製品として提供されてもよい。そのような担体の１つは、ＣＤ−ＲＯＭディスクの形式であってもよい。しかし、メモリースティックのような他のデータ担体でも実現可能である。更に、コンピュータプログラム・コードは、サーバ上でピュア・プログラム・コードとして提供され、第１のユーザ装置１２１へダウンロードされてもよい。
【０１１５】
第１のユーザ装置１２１は、更に、１つ以上のメモリユニットを含むメモリ７４０を備えてもよい。メモリ７４０は、例えば、ＲＡＣＨがＤ２Ｄ通信に関連することの指標、スケジューリングされたＤ２Ｄリンクについての情報、Ｄ２Ｄ通信に使用されるＲＡＣＨプリアンブルと、セルラ通信に使用されるＲＡＣＨプリアンブルとが分割されているという情報、データ、設定、スケジューリング、及び、第１のユーザ装置１２１で実行された場合に本明細書の方法を実行するためのアプリケーションを格納するために使用されるように構成される。
【０１１６】
上述の送信ユニット７１０及び受信ユニット７２０は、アナログ回路とデジタル回路との組み合わせ、及び／又は、プロセッサ７３０等の１つ以上のプロセッサによって実行された場合に上述したように実行する（例えば、メモリ７４０に格納された）ソフトウェア及び／又はファームウェアで構成される１つ以上のプロセッサを示しうることは、当業者によって更に理解されるだろう。これらのプロセッサの１つ以上及び他のデジタル・ハードウェアは、単一の特定用途向け集積回路（ＡＳＩＣ）に含まれていてもよいし、あるいは、複数のプロセッサ及び種々のデジタル・ハードウェアは、個別にパッケージ化されているかシステム・オン・チップ（ＳｏＣ）に組み込まれているかに関係なく、複数の個別のコンポーネント間に分散されてもよい。
【０１１７】
「備える（含む）」という用語が使用される場合、それは、限定するものとしてではなく、即ち「から少なくとも構成される」ことを意味するものとして解釈されるべきである。
【０１１８】
本発明の実施形態は、上述の好適な実施形態に限定されない。種々の代替例、変形及び均等物が使用されてもよい。したがって、上述の実施形態は、添付の特許請求の範囲により規定される本発明の範囲を限定するものとして解釈されるべきではない。
【図１】
2016504861.tif 000003
【図２】
2016504861.tif 000004
【図３】
2016504861.tif 000005
【図４】
2016504861.tif 000006
【図５】
2016504861.tif 000007
【図６】
2016504861.tif 000008
【図７】
2016504861.tif 000009
【国際調査報告】
2016504861.tif 000010
2016504861.tif 000011